【事件の表示】
　平成　９年特許願第１１２１８７号「電話端末装置及び画像処理方法」拒絶査定に対する審判事件［平成１０年　２月２０日出願公開、特開平１０−　５１５８４］について、次のとおり審決する。
【結　論】
　本件審判の請求は、成り立たない。
【理　由】
１．手続の経緯
　本願は、昭和６３年２月１７日に出願した特願昭６３−３４２２４号の一部を平成９年４月３０日に新たな特許出願としたものであって、平成１０年６月２４日及び平成１３年１月２２日付で手続補正がなされ、平成１３年１２月３日付で拒絶査定がなされ、これに対して、平成１４年１月１０日付で審判請求がなされた後、平成１４年２月７日付で手続補正がなされたものである。
　
２．本願発明
  本願の請求項１に係る発明（以下、「本願発明」という。）は、平成１４年２月７日付手続補正書により補正された明細書及び図面の記載からみて、その特許請求の範囲の請求項１に記載された次のとおりのものである。
「【請求項１】紙等の上に書かれた文字や絵等の画像を読み取る画像取り込み手段を備えたイメージスキャナと、
　上記イメージスキャナによる画像の取り込みの際に操作する操作手段と、
　上記イメージスキャナより取り込んだ画像情報を蓄積する画像情報蓄積手段と、
　上記画像情報蓄積手段から出力される画像信号を電話回線にて送出可能な信号に変調する画像信号変調部と、
　電話回線を介して送られてきた変調済の画像信号を復調する画像信号復調部と、
　スピーカ等の音声出力部と、
　マイク等の音声入力部と、
　電話回線が前記音声出力部並びに前記音声入力部に接続されている状態で、電話回線を到来する信号中に、通信相手側より映像信号の送出に先行して電話回線へ送出された特殊信号を検出する検出手段と、
　電話回線が前記音声出力部並びに前記音声入力部に接続されている状態で、前記検出手段が前記特殊信号を検出した場合に出力される信号により、電話回線と前記音声出力部及び前記音声入力部との通話を不可能とし、且つ、電話回線と前記画像信号変調部及び画像信号復調部との通信を可能とする手段とを備え、
　上記イメージスキャナは、前記画像信号変調部と前記画像信号復調部を含む装置本体に対して、非固定状態にて使用可能に構成してなる電話端末装置。」
　
３．引用例
　これに対して、原査定の拒絶の理由に引用文献１として引用された特開昭６１−２４２４５６号公報（以下、「引用例」という。）には、図面とともに以下の各記載がある。
　ア．「１．手書き画像を入力するための描画入力装置と、該描画入力装置から入力されて変調された画像信号と電話機から入力された音声信号とを多重化して電話回線に出力する多重回路とを備えた描画像通信装置において、
　画像を光学的に読取って画像信号を出力する画像読取り装置と、
　前記描画入力装置及び画像読取り装置が出力する画像信号を変調する低速変調装置及び高速変調装置と、
　前記描画入力装置及び前記画像読取り装置からの画像信号を、前記高速変調装置にて変調して電話回線に、または前記低速変調装置にて変調して前記多重回路を介して電話回線に、選択的に出力する切換回路と、
　該切換回路を制御する制御装置と
　を備えたことを特徴とする描画像通信装置。」（第１頁下左欄第４〜２０行、特許請求の範囲１．）
　イ．「〔産業上の利用分野〕
　本発明は、一般の電話回線を用いて音声と共に手書き描画像を送信し、また受信するための描画像通信装置に関し、更に詳述すれば、これに加えて、作成されている画像をスキャナにて読取り、これを高速にて送信し得るように構成された描画像通信装置に関する。」（第１頁下右欄第２〜８行）
　ウ．「第１図は本発明に係る描画像通信装置の回路構成を示すためのブロック図であり、１は制御部５の多重分離回路５９に接続された通常の電話機、２は制御部５のインタフェイス５３に接続されたスキャナ、３は制御部５のインタフェイス５２に接続された描画パッド、４は制御部５のＲ．Ｇ．Ｂ．メモリ５１に接続されたカラーモニタテレビ、５は制御部であり、この制御部５は加入者線路（一般の電話回線）６と電話機１との間に介装される状態で設置される。
　制御部５は制御中枢であるマイクロプロセッサ５４により制御されている。」（第２頁下右欄第３〜１４行）
　エ．「スキャナ２は、本発明装置の一括送信モードにおいて、予め描かれた描画像または比較的単純な印刷物等を光学的に読取ってドットパターンの形として電気信号に変換し、インタフェイス５３を介してマイクロプロセッサ５４に与える。
　電話機１は前述の如く制御部５の多重分離回路５９に接続されており、通常の電話機の操作同様に通信の相手方を呼出し、また音声信号の入出力に使用される。」（第３頁上左欄第１５行〜同頁上右欄第３行）
　オ．「Ｒ．Ｇ．Ｂ．メモリ５１はスキャナ２から入力されるドットパターンの形の画像信号及び加入者線路６から入力される相手方からの画像信号を、三原色それぞれに分離してそれぞれに対応するページ（記憶領域）に記憶し、またこれをカラーモニタテレビ４に合成出力することにより、画像のカラー表示を行う。」（第３頁上右欄第１９行〜同頁下左欄第５行）
　カ．「低速モデム５８は、従来の描画像通信装置においても備えられているモデム（変復調器）であり、従来の描画像通信装置同様　３００ｂｐｓ（ｂｉｔ／ｓｅｃｏｎｄ）の送信能力を有している。
　高速モデム５７は、上述の低速モデム５８とは異なり、４８００ｂａｕｄ程度の高速処理能力を有し、低速モデム５８と高速モデム５７とはマイクロプロセッサ５４によりモデム切換器５６ａ，５６ｂが制御されて切換えられる。なお、この高速モデム５７が使用されるモード（後述する一括送信モード）においては、電話回線周波数帯域の全域が画像信号の送信に使用されるため、音声信号の送信は行われない。
　多重分離回路５９は、マイクロプロセッサ５４からモデム切換器５６ａ，低速モデム５８を介して与えられる画像信号と、電話機１から入力される音声信号とを多重化してモデム切換器５６ｂを介して加入者線路６に出力し、また逆に受信に際しては加入者線路６からモデム切換器５６ｂを介して与えられる入力信号を画像信号と音声信号とに分離し、画像信号は低速モデム５８，モデム切換器５６ａを介してマイクロプロセッサ５４に、音声信号は電話機１にそれぞれ与える。」（第３頁下左欄第１０行〜同頁下右欄第１１行）
　キ．「一方、一括送信モード下におけるスキャナ２からの画像の読取りに際して、上述の高速転送モードではなく蓄積モードが選択された場合には、まずスキャナ２による画像の読取りが行われた後、通常の蓄積モードと同様の処理が行われる。
　即ち、上述の高速転送モード同様にマイクロプロセッサ５４はまずモデム切換器５６ａ，５６ｂを制御して高速モデム５７をマイクロプロセッサ５４及び加入者線路６に接続する。次に、マイクロプロセッサ５４は、スキャナ２からドットパターンの形で入力された画像をＲ．Ｇ．Ｂ．メモリ５１に転送して一旦記憶させ、これを白黒表示にてカラーモニタテレビ４に表示する。
　　　・・・・・（中略）・・・・・
　そして、たとえば操作ボタン等の操作により蓄積モードの終了が指示されると、Ｒ．Ｇ．Ｂ．メモリ５１及び蓄積メモリ５５に記憶されている画像信号の一括送信が行われる。」（第４頁下右欄第６行〜第５頁上左欄第１３行）
　ク．高速モデム５７は、加入者線路６を介して送信されてきた変調済の画像信号を復調することも可能なものである。（第１図、特に信号の流れを示す矢印に注意）
　これらの記載からみて、引用例には、
「予め描かれた描画像または比較的単純な印刷物等を読み取ってドットパターンの形として電気信号に変換する手段を備えたスキャナと、
　上記スキャナより入力される画像信号を記憶するＲ．Ｇ．Ｂ．メモリと、
　上記Ｒ．Ｇ．Ｂ．メモリから読出される画像信号を電話回線にて送出可能な信号に変調する高速モデムと、
　電話回線を介して送信されてきた画像信号を復調する高速モデムと、
　音声信号の入出力に使用される電話機と、
　電話回線が多重分離回路を介して前記電話機に接続されている状態から、電話回線と前記電話機との通話を不可能とし、且つ、電話回線と前記高速モデムとの通信を可能とするモデム切換器と、
　上記モデム切換器を制御するマイクロプロセッサとを備え
　上記スキャナは、前記高速モデムを含む制御部に対して、接続されてなる描画像通信装置。」の発明（以下、「引用例記載の発明」という。）が記載されている。
　
４．対比
　そこで、本願発明と引用例記載の発明とを対比すると、
　引用例記載の発明の予め描かれた描画像または比較的単純な印刷物等を読み取ってドットパターンの形として電気信号に変換する手段を備えた「スキャナ」は、撮像素子などの画像取り込み手段を備えることは明らかであるから、本願発明の紙等の上に書かれた文字や絵等の画像を読み取る画像取り込み手段を備えた「イメージスキャナ」に相当し、引用例記載の発明の「Ｒ．Ｇ．Ｂ．メモリ」は本願発明の「画像情報蓄積手段」に相当し、引用例記載の発明の「高速モデム」は画像信号の変調及び復調を行うものであるから、本願発明の「画像信号変調部」及び「画像信号復調部」に相当し、引用例記載の発明の「電話機」は音声の入力部と出力部を有することは明らかであるから、本願発明のスピーカ等の「音声出力部」及びマイク等の「音声入力部」に相当し、さらに、引用例記載の発明の「制御部」は本願発明の「装置本体」に相当する。また、引用例記載の発明の「スキャナ」においても、画像の取り込みの際に、その取り込み開始等を指示するために操作する押圧スイッチ等の操作手段が設けられることは自明なことであるから、
両者は、
「紙等の上に書かれた文字や絵等の画像を読み取る画像取り込み手段を備えたイメージスキャナと、
　上記イメージスキャナによる画像の取り込みの際に操作する操作手段と、
　上記イメージスキャナより取り込んだ画像情報を蓄積する画像情報蓄積手段と、
　上記画像情報蓄積手段から出力される画像信号を電話回線にて送出可能な信号に変調する画像信号変調部と、
　電話回線を介して送られてきた変調済の画像信号を復調する画像信号復調部と、
　スピーカ等の音声出力部と、
　マイク等の音声入力部と、
　電話回線が前記音声出力部並びに前記音声入力部に接続されている状態から、電話回線と前記音声出力部及び前記音声入力部との通話を不可能とし、且つ、電話回線と前記画像信号変調部及び画像信号復調部との通信を可能とする手段とを備え、
　上記イメージスキャナは、前記画像信号変調部と前記画像信号復調部を含む装置本体に対して、接続されてなる電話端末装置。」
である点で一致し、次の点で相違しているものと認められる。
（相違点１）
　電話回線が前記音声出力部並びに前記音声入力部に接続されている状態から、電話回線と前記音声出力部及び前記音声入力部との通話を不可能とし、且つ、電話回線と前記画像信号変調部及び画像信号復調部との通信を可能とする、すなわち電話回線の、音声出力部及び音声入力部から画像信号変調部及び画像信号復調部への切り換え接続が、本願発明では電話回線が音声出力部並びに音声入力部に接続されている状態で、電話回線を到来する信号中に、通信相手側より映像信号の送出に先行して電話回線へ送出された特殊信号を検出する検出手段を備え、該検出手段が前記特殊信号を検出した場合に出力される信号により行われるのに対し、引用例記載の発明ではマイクロプロセッサが制御すると記載されているにすぎない点。
（相違点２）
　イメージスキャナが、本願発明では装置本体に対して非固定状態にて使用可能に構成してなるものであるのに対し、引用例記載の発明ではそのことが明示されていない点。
　
５．当審の判断
　上記相違点について検討すると、
（相違点１）について
　音声信号と画像信号とを送受信する端末装置において、電話回線の、音声出力部及び音声入力部から画像信号変調部及び画像信号復調部への切り換え接続を、電話回線が音声出力部並びに音声入力部に接続されている状態で、電話回線を到来する信号中に、通信相手側より映像信号（あるいは画像信号）の送出に先行して電話回線へ送出された特殊信号を検出する検出手段を設け、該検出手段が前記特殊信号を検出した場合に出力される信号により行うことは、本願明細書でも従来技術して示され、さらに例えば特開昭６０−１８３８８７号公報（マーカー信号を検出するマーカーデテクター部１３を参照）、特開昭５２−９１３１６号公報（送像開始信号を検出する検出回路２４を参照）に記載されているように周知の技術的手段であることから、引用例記載の発明においても、電話回線が音声出力部並びに音声入力部に接続されている状態で、電話回線を到来する信号中に、通信相手側より映像信号の送出に先行して電話回線へ送出された特殊信号を検出する検出手段を設け、該検出手段が前記特殊信号を検出した場合に出力される信号により、マイクロプロセッサを介するなどして電話回線の接続を音声出力部及び音声入力部から画像信号変調部及び画像信号復調部へ切り換えるように構成することは当業者であれば容易になし得ることと認められる。
（相違点２）について
　装置本体に対して非固定状態にて使用可能に構成してなるイメージスキャナは、いわゆるハンデイタイプのイメージスキャナとして例えば原査定の拒絶の理由に引用された特開昭５８−６８３６２号公報、特開昭６２−２１７７６４号公報に記載されているように周知のものであり、引用例記載の発明においても、イメージスキャナとしていわゆるハンデイタイプのものを採用し、装置本体に対して非固定状態にて使用可能に構成することは当業者が適宜になし得ることである。
　そして、本願発明の構成に基づく作用効果についてみても当業者が予測し得る範囲内のものにすぎず、格別顕著なものがあるとはいえない。
　
６．むすび
　以上のとおり、本願発明は、引用例に記載された発明及び周知技術に基づいて当業者が容易に発明をすることができたものであるから、特許法第２９条第２項の規定により特許を受けることができない。
　よって、結論のとおり審決する。